(57)【要約】  指力練習盤は、上部盤面（８）を有する盤体（６、７）を備え、上部盤面（８）は、手のひらとそれより上部の指及び親指とを担持し、上部盤面（８）に指の指先部分用及び親指の指先部分用のスロット（１−５）が設けられている。指力練習盤は、左手用の盤体（６）及び右手用の盤体（７）が設けられ、指の指先部分と親指の指先部分とのそれぞれについて、２つずつの隣接するスロット（１−１′−５−５′）が設けられ、各指及び親指は、伸展／屈曲動作により、２つのスロットの間で切替可能である。スロット（１−１′−５−５′）は、盲溝の形態であることが好ましい。【選択図】図１
2019525262.tif 000002
【特許請求の範囲】
【請求項１】
上部盤面（８）を有する盤体（６、７）を備える指力練習盤であって、上部盤面（８）は、手のひらとそれより上部の指及び親指とを担持し、指の指先部分用及び親指の指先部分用のスロット（１−５）が設けられている指力練習盤において、
左手用の盤体（６）と右手用の盤体（７）とが設けられ、
指の指先部分と親指の指先部分とのそれぞれについて、２つずつの隣接するスロット（１−１′−５−５′）が設けられ、
各指及び親指は、伸展／屈曲の動作により、２つのスロットの間で切替可能であることを特徴とする指力練習盤。
【請求項２】
スロット（１−１′−５−５′）は、盲溝の形態であることを特徴とする請求項１に記載の指力練習盤。
【請求項３】
各指の盲溝の中心線（９）及び親指の盲溝の中心線（９）は、２つずつ互いに鋭角（α）をなすことを特徴とする請求項２に記載の指力練習盤。
【請求項４】
各指の盲溝の中心線（９）および親指の盲溝の中心線（９）は、何れも対応する指又は親指のＭＰ関節の領域（１０）において交差することを特徴とする請求項２または３に記載の指力練習盤。
【請求項５】
スロット（１−１′−５−５′）の長さ及び幅は、少なくとも各指の３番目の指節、または親指の２番目の指節が当該長さと幅とで規定される領域に収容できるように設定されることを特徴とする請求項１から４の何れか一項に記載の指力練習盤。
【請求項６】
各指及び親指の２つの隣接するスロット（１−１′−５−５′）の互いに向かい合う外縁は、面取り又は斜辺磨き構造であることを特徴とする請求項１から５の何れか一項に記載の指力練習盤。
【請求項７】
盤体（６、７）は、弾性プラスチックからなることを特徴とする請求項１から６の何れか一項に記載の指力練習盤。
【請求項８】
盤の材料は、ＥＶＡであることを特徴とする請求項７に記載の指力練習盤。
【請求項９】
盤体（６、７）は、円形構造であることを特徴とする請求項１から８の何れか一項に記載の指力練習盤。
【請求項１０】
上部盤面（８）は、緩やかな突起構造であることを特徴とする請求項１から９の何れか一項に記載の指力練習盤。
【請求項１１】
上部盤面（８）上には、各指又は親指の、対応する２つのスロット（１−１′−５−５′）の間での切替を示すための矢印（１１）が付されていることを特徴とする請求項１から１０の何れか一項に記載の指力練習盤。
【発明の詳細な説明】
【技術分野】
【０００１】
本発明は、指力を強化して、指の手のひらに対する活動の柔軟性を向上させる練習盤に関し、大衆の健康目的に用いられ、特に音楽家の指訓練に用いられる。
【背景技術】
【０００２】
特許文献１には、音楽家用の指練習盤が開示されている。このような円盤は、３つの同軸リングを有し、リングの間の溝に指孔が設けられ、左右の親指のために２つの凹溝も設けられている。
【０００３】
手首は、中心突起位置で支持されている。訓練時に、指は、指先の一部を介して指孔内に固定され、溝壁によって制限されて前後移動を不可能にすることにより、受力の下で左又は右へ揺れる。
【先行技術文献】
【特許文献】
【０００４】
【特許文献１】中国実用新案第２０４９９０８３８号明細書
【発明の概要】
【発明が解決しようとする課題】
【０００５】
本発明の目的は、指力の強化、及び、手のひらに対する活動の柔軟性の向上にある。
【課題を解決するための手段】
【０００６】
当該目的は、請求項１の構成によって実現される。従属請求項は、好適な実施案に属する。
【０００７】
指力練習盤は、盤体を備え、盤体は、手のひらとそれより上部の指及び親指とを担持するための上部盤面を有し、上部盤面には、指の指先部分用及び親指の指先部分用のスロットが設けられている。本発明によれば、
左手用の盤体と右手用の盤体とが設けられ、
指の指先部分と親指の指先部分とのそれぞれについて、２つずつの隣接するスロットが設けられ、
各指及び親指は、伸展／屈曲の動作により、２つのスロットの間で切替可能である。
【０００８】
好ましくは、盤体が円形であり、少々突起する上部盤面を有することにより、手のひらと、それより上部の指及び親指とは、快適に盤面に置くことが可能である。
【０００９】
その際、盤体が手のサイズに応じて設計可能であり、及び／又は、スロットの長さが異なる長さの指に適合可能である。そのため、スロットは、盲溝の形態であることが好ましい。これらのスロットの長さ及び幅は、少なくとも対応する指の３番目の指節、または親指の２番目の指節が当該長さと幅とで規定される領域に収容できるように設定される。
【００１０】
各指又は親指の盲溝のペアとなる配置は、好ましくは、各指の盲溝の中心線及び親指の盲溝の中心線が２つずつ互いに鋭角（α）をなすように構成される。各指の盲溝の中心線および親指の盲溝の中心線は、対応する交点が何れも対応する指又は親指のＭＰ関節の領域（１０）において交差するべきである。ＭＰ関節とは、中手骨と指又は親指の指骨との間の関節を指す。
【００１１】
別の実施例では、各指及び親指の２つの隣接するスロットの互いに向かい合う外縁は、面取り又は斜辺磨き構造である。そのため、各指及び親指の伸展／屈曲動作による２つのスロットの間での切替は、鋭い縁を擦らない。
【００１２】
盤体は、弾性プラスチックからなることが好ましく、特にエチレン酢酸ビニルコポリマー（ＥＶＡ）からなることが好ましい。
【００１３】
各指及び親指が伸展／屈曲動作により２つのスロットの間で切替する際、誤ったスロットに切り替えられないように、上部盤面には、指又は親指の対応する２つの正しいスロットの間での切替を示すための矢印が付されている。
【図面の簡単な説明】
【００１４】
【図１】左手用の盤体を示す図である。
【図２】右手用の盤体を示す図である。
【発明を実施するための形態】
【００１５】
図面を参照して本発明を説明する。図１は、左手用の盤体６を示し、図２は、右手用の盤体７を示す。それらは、ミラーとして構成され、ここで左手用の盤体の構造のみを説明する。
【００１６】
指力練習盤は、盤体６を備え、盤体６は、手のひらとそれより上部の指及び親指とを担持するための少し突起する上部盤面８を有する。盤面の直径は、２４−２６センチであることが好ましい。
【００１７】
上部盤面８には、指及び親指のペアとなる隣接するスロットが配置されている。
１、１′  小指の指先部分のスロット、
２、２′  薬指の指先部分のスロット、
３、３′  中指の指先部分のスロット、
４、４′  人差し指の指先部分のスロット、
５、５′  親指の指先部分のスロット。
【００１８】
スロット１−１′−５−５′は、盲溝の形態であり、その長さ及び幅は、少なくとも各指の３番目の指節、または親指の２番目の指節が当該長さと幅とで規定される領域に収容できるように設定される。
【００１９】
ペアとなるスロット１−１′−５−５′は、各指の盲溝の中心線（９）及び親指の盲溝の中心線（９）が２つずつ互いに鋭角（α）をなし、交点がそれぞれ対応する指又は親指のＭＰ関節の領域１０に位置するように構成される。図１では、小指の２つのスロット１−１′を例としてその点を説明する。
【００２０】
スロット１−５は、指及び親指の自然な姿勢に合致する。
【００２１】
各指及び親指の２つの隣接するスロット（１−１′−５−５′）の互いに向かい合う外縁は、面取り又は斜辺磨き構造である。
【００２２】
操作方式は、下記のようになる。左手を上部盤面８上に置いて、且つ各指の３番目の指節及び親指の２番目の指節を対応するスロット１−５内に自然に置く。
好ましくは、時間順に、指又は親指自身の側面筋力を利用して、指の３番目の指節又は親指の２番目の指節を対応するスロット１−５の外縁に押し付け、上部盤面８上において対応する２番目のスロット１′−５′内にスライドする。その後、対応するスロット１′−５′からスロット１−５に戻る。
【００２３】
このような切替により、指及び親指のパワーと柔軟性が訓練できる。矢印１１は、訓練者が正しい方向を見つけるのに役立つ。
【００２４】
（付記）
（付記１）
上部盤面（８）を有する盤体（６、７）を備える指力練習盤であって、上部盤面（８）は、手のひらとそれより上部の指及び親指とを担持し、指の指先部分用及び親指の指先部分用のスロット（１−５）が設けられている指力練習盤において、
左手用の盤体（６）と右手用の盤体（７）とが設けられ、
指の指先部分と親指の指先部分とのそれぞれについて、２つずつの隣接するスロット（１−１′−５−５′）が設けられ、
各指及び親指は、伸展／屈曲の動作により、２つのスロットの間で切替可能であることを特徴とする指力練習盤。
【００２５】
（付記２）
スロット（１−１′−５−５′）は、盲溝の形態であることを特徴とする付記１に記載の指力練習盤。
【００２６】
（付記３）
各指の盲溝の中心線（９）及び親指の盲溝の中心線（９）は、２つずつ互いに鋭角（α）をなすことを特徴とする付記２に記載の指力練習盤。
【００２７】
（付記４）
各指の盲溝の中心線（９）および親指の盲溝の中心線（９）は、何れも対応する指又は親指のＭＰ関節の領域（１０）において交差することを特徴とする付記２または３に記載の指力練習盤。
【００２８】
（付記５）
スロット（１−１′−５−５′）の長さ及び幅は、少なくとも各指の３番目の指節、または親指の２番目の指節が当該長さと幅とで規定される領域に収容できるように設定されることを特徴とする付記１から４の何れか一つに記載の指力練習盤。
【００２９】
（付記６）
各指及び親指の２つの隣接するスロット（１−１′−５−５′）の互いに向かい合う外縁は、面取り又は斜辺磨き構造であることを特徴とする付記１から５の何れか一つに記載の指力練習盤。
【００３０】
（付記７）
盤体（６、７）は、弾性プラスチックからなることを特徴とする付記１から６の何れか一つに記載の指力練習盤。
【００３１】
（付記８）
盤の材料は、ＥＶＡであることを特徴とする付記７に記載の指力練習盤。
【００３２】
（付記９）
盤体（６、７）は、円形構造であることを特徴とする付記１から８の何れか一つに記載の指力練習盤。
【００３３】
（付記１０）
上部盤面（８）は、緩やかな突起構造であることを特徴とする付記１から９の何れか一つに記載の指力練習盤。
【００３４】
（付記１１）
上部盤面（８）上には、各指又は親指の、対応する２つのスロット（１−１′−５−５′）の間での切替を示すための矢印（１１）が付されていることを特徴とする付記１から１０の何れか一つに記載の指力練習盤。
【符号の説明】
【００３５】
１、１′  小指の指先部分のスロット
２、２′  薬指の指先部分のスロット
３、３′  中指の指先部分のスロット
４、４′  人差し指の指先部分のスロット
５、５′  親指の指先部分のスロット
６  盤体
７  盤体
８  上部盤面
９  盲溝中心線
１０  指又は親指のＭＰ関節の領域
１１  矢印マーク
【図１】
2019525262.tif 000003
【図２】
2019525262.tif 000004
【国際調査報告】
2019525262.tif 000005
2019525262.tif 000006
2019525262.tif 000007
2019525262.tif 000008
2019525262.tif 000009
2019525262.tif 000010